(57)【要約】【課題】検索の利便性がより向上した辞書検索装置を提供すること。【解決手段】入力部１１と、第１文字列を表示する表示部２１と、複数の見出し語と複数の見出し語の定義情報とが記憶される記憶部４４と、第１文字列と一致する見出し語を検索する検索部４５２と、第１文字列と一致する見出し語を先頭として複数の見出し語を表示部２１に表示させると共に、選択された見出し語の定義情報を表示させる表示制御部４５４と、を備える辞書検索装置１００であって、複数の見出し語から、第１文字列と一致する見出し語が検索されなかった場合には、検索部４５２は、第２文字列と一致する見出し語を検索し、表示制御部４５４は、第２文字列と一致する見出し語が検索された場合に、第２文字列と一致する見出し語を先頭として複数の見出し語を表示部２１に表示させると共に、選択された見出し語の定義情報を表示させる。【選択図】図３
2010123074.tif 000002
【特許請求の範囲】
【請求項１】
所定の文字列の入力操作が行われる入力部と、
前記入力操作により入力された第１文字列を表示する表示部と、
複数の見出し語と該複数の見出し語の定義情報とが関連付けられて記憶される記憶部と、
前記記憶部に記憶された前記複数の見出し語から、前記第１文字列と一致する見出し語を検索する検索部と、
前記検索部により前記第１文字列と一致する見出し語が検索された場合に、該第１文字列と一致する見出し語を先頭として前記複数の見出し語のうちの一部の見出し語を前記表示部に表示させると共に、該表示部に表示された見出し語のうちの選択された見出し語の定義情報を前記表示部に表示させる表示制御部と、を備える辞書検索装置であって、
前記検索部により前記第１文字列と一致する見出し語が検索されなかった場合には、前記検索部は、前記記憶部に記憶された前記複数の見出し語から、前記第１文字列から最後の一文字を除いた第２文字列と一致する見出し語を検索し、
前記表示制御部は、前記検索部により前記第２文字列と一致する見出し語が検索された場合に、該第２文字列と一致する見出し語を先頭として前記複数の見出し語のうちの一部の見出し語を前記表示部に表示させると共に、該表示部に表示された見出し語のうちの選択された見出し語の定義情報を前記表示部に表示させる辞書検索装置。
【請求項２】
前記検索部により前記第２文字列と一致する見出し語が検索されなかった場合には、前記検索部は、前記記憶部に記憶された前記複数の見出し語から、前記第２文字列から最後の一文字を除いた第３文字列と一致する見出し語を検索し、
前記表示制御部は、前記検索部により前記第３文字列と一致する見出し語が検索された場合に、該第３文字列と一致する見出し語を先頭として前記複数の見出し語のうちの一部の見出し語を前記表示部に表示させると共に、該表示部に表示された見出し語のうちの選択された見出し語の定義情報を前記表示部に表示させる請求項１に記載の辞書検索装置。
【請求項３】
複数の漢字を含む漢字文字列を入力可能な入力部と、
前記入力部により入力された前記漢字文字列を表示する表示部と、
複数の見出し語と該複数の見出し語それぞれの定義情報と、が関連付けられて記憶される記憶部と、
前記記憶部に記憶された前記複数の見出し語から、前記漢字文字列と一致する見出し語を検索する検索部と、
前記検索部により前記漢字文字列と一致する見出し語を先頭として前記複数の見出し語のうちの一部の見出し語を前記表示部に表示させると共に、該表示部に表示された見出し語のうちの選択された見出し語の定義情報を前記表示部に表示させる表示制御部と、を備える辞書検索装置であって、
前記検索部により前記漢字文字列と一致する見出し語が検索されなかった場合には、前記検索部は、前記記憶部に記憶された前記複数の見出し語から前記漢字文字列の先頭の漢字を検索し、
前記表示制御部は、前記先頭の漢字と一致した見出し語を先頭として前記複数の見出し語のうちの一部の見出し語を前記表示部に表示させると共に、該表示部に表示された見出し語のうちの選択された見出し語の定義情報を前記表示部に表示させる辞書検索装置。
【請求項４】
前記記憶部は、漢字及び／又はかな文字により構成される複数の見出し語と、該複数の見出し語の意味と、が関連付けられて記憶される国語辞書部と、
複数の英字により構成される複数の見出し語と、該複数の見出し語の日本語訳と、が関連付けられて記憶される英和辞書部と、を備える請求項１から３のいずれかに記載の辞書検索装置。
【請求項５】
請求項１から４のいずれかに記載の辞書検索装置を備える電子機器。
【発明の詳細な説明】
【技術分野】
【０００１】
本発明は、辞書検索装置に関する。
【背景技術】
【０００２】
従来、辞書検索機能を備えた電子機器が提案されている（例えば、特許文献１参照）。このような電子機器は、文字列を入力可能な入力部と、表示部と、辞書データが記憶される記憶部と、検索部と、を備えており、ユーザは、辞書検索機能を用いる場合には、入力部により検索したい文字列を入力した後に、所定の操作により検索開始指示を行う。すると、検索部は、記憶部の辞書データを検索する。そして、入力された文字列と一致した単語が辞書データ内に記憶されていた場合には、表示部は、検索結果を表示する。
【特許文献１】特開２００６−５９０８７号公報
【発明の開示】
【発明が解決しようとする課題】
【０００３】
ところで、従来の辞書検索機能を備えた電子機器では、入力された文字列と一致する単語が記憶部の辞書データ内に記憶されていない場合には、検索語がない旨の検索結果が表示部に表示されていた。そのため、入力された文字列が辞書データ内に記憶されていなかった場合に、当該文字列に類似した文字列を検索したいときには、ユーザは、再度、検索したい文字列を入力しなおす必要があり、検索に時間や手間がかかっていた。
【課題を解決するための手段】
【０００４】
従って、本発明は、検索の利便性がより向上した辞書検索装置を提供することを目的とする。
【０００５】
本発明は、所定の文字列の入力操作が行われる入力部と、前記入力操作により入力された第１文字列を表示する表示部と、複数の見出し語と該複数の見出し語の定義情報とが関連付けられて記憶される記憶部と、前記記憶部に記憶された前記複数の見出し語から、前記第１文字列と一致する見出し語を検索する検索部と、前記検索部により前記第１文字列と一致する見出し語が検索された場合に、該第１文字列と一致する見出し語を先頭として前記複数の見出し語のうちの一部の見出し語を前記表示部に表示させると共に、該表示部に表示された見出し語のうちの選択された見出し語の定義情報を前記表示部に表示させる表示制御部と、を備える辞書検索装置であって、前記検索部により前記第１文字列と一致する見出し語が検索されなかった場合には、前記検索部は、前記記憶部に記憶された前記複数の見出し語から、前記第１文字列から最後の一文字を除いた第２文字列と一致する見出し語を検索し、前記表示制御部は、前記検索部により前記第２文字列と一致する見出し語が検索された場合に、該第２文字列と一致する見出し語を先頭として前記複数の見出し語のうちの一部の見出し語を前記表示部に表示させると共に、該表示部に表示された見出し語のうちの選択された見出し語の定義情報を前記表示部に表示させる辞書検索装置に関する。
【０００６】
また、前記検索部により前記第２文字列と一致する見出し語が検索されなかった場合には、前記検索部は、前記記憶部に記憶された前記複数の見出し語から、前記第２文字列から最後の一文字を除いた第３文字列と一致する見出し語を検索し、前記表示制御部は、前記検索部により前記第３文字列と一致する見出し語が検索された場合に、該第３文字列と一致する見出し語を先頭として前記複数の見出し語のうちの一部の見出し語を前記表示部に表示させると共に、該表示部に表示された見出し語のうちの選択された見出し語の定義情報を前記表示部に表示させることが好ましい。
【０００７】
本発明は、複数の漢字を含む漢字文字列を入力可能な入力部と、前記入力部により入力された前記漢字文字列を表示する表示部と、複数の見出し語と該複数の見出し語それぞれの定義情報と、が関連付けられて記憶される記憶部と、前記記憶部に記憶された前記複数の見出し語から、前記漢字文字列と一致する見出し語を検索する検索部と、前記検索部により前記漢字文字列と一致する見出し語を先頭として前記複数の見出し語のうちの一部の見出し語を前記表示部に表示させると共に、該表示部に表示された見出し語のうちの選択された見出し語の定義情報を前記表示部に表示させる表示制御部と、を備える辞書検索装置であって、前記検索部により前記漢字文字列と一致する見出し語が検索されなかった場合には、前記検索部は、前記記憶部に記憶された前記複数の見出し語から前記漢字文字列の先頭の漢字を検索し、前記表示制御部は、前記先頭の漢字と一致した見出し語を先頭として前記複数の見出し語のうちの一部の見出し語を前記表示部に表示させると共に、該表示部に表示された見出し語のうちの選択された見出し語の定義情報を前記表示部に表示させる辞書検索装置に関する。
【０００８】
また、前記記憶部は、漢字及び／又はかな文字により構成される複数の見出し語と、該複数の見出し語の意味と、が関連付けられて記憶される国語辞書部と、複数の英単語と、該複数の英単語の日本語訳と、が関連付けられて記憶される英和辞書部と、を備えることが好ましい。
【０００９】
また、本発明は、上記のいずれかに記載の辞書検索装置を備える電子機器に関する。
【発明の効果】
【００１０】
本発明の辞書検索装置によれば、検索の利便性をより向上できる。
【発明を実施するための最良の形態】
【００１１】
以下、本発明を実施するための好ましい一実施形態について、図面を参照しながら説明する。まず、本発明の辞書検索装置を備えた電子機器の第１実施形態としての携帯電話機１の基本構造について、図１を参照しながら説明する。
図１は、本発明の第１実施形態に係る携帯電話機１の外観斜視図である。
【００１２】
携帯電話機１は、操作部側筐体２と、表示部側筐体３と、操作部側筐体２と表示部側筐体３とを連結するヒンジ機構４と、を備える。
操作部側筐体２は、前面１０に、操作部としての入力部１１とマイク１２とを備えて構成される。操作部側筐体２の前面１０は、携帯電話機１を折り畳んだ状態で表示部側筐体３と向かい合う面である。
入力部１１は、各種設定機能や辞書機能やメール機能等の各種機能を作動させるための機能設定操作ボタン１３と、数字や文字を入力するための入力操作ボタン１４と、各種操作における決定やスクロール等を行う決定操作ボタン１５と、から構成されている。この入力部１１からは、所定の文字列の入力操作が行われる。
マイク１２は、携帯電話機１の使用者が通話時に発した音声を入力するために用いられる。
【００１３】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、メールの内容、及び入力部１１により入力された文字列等の各種情報を表示する。
レシーバ２２は、通話の相手側の音声を出力する。
【００１４】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１５】
図２は、携帯電話機１の機能を示すブロック図である。携帯電話機１は、入力部１１と、マイク１２と、通信部４１と、画像処理部４２と、音声処理部４３と、メモリ４４と、ＣＰＵ４５とを操作部側筐体２に備え、表示部２１と、レシーバ２２と、ドライバＩＣ２３とを表示部側筐体３に備えている。
【００１６】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００１７】
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号をＣＰＵ４５に供給する。また、ＲＦ回路部４１２は、ＣＰＵ４５から供給された信号を変調処理し、メインアンテナ４１１を介して外部装置（基地局）に送信する。
【００１８】
画像処理部４２は、ＣＰＵ４５の制御に従って、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００１９】
音声処理部４３は、ＣＰＵ４５の制御に従って、ＲＦ回路部４１２から供給された信号に対して所定の音声処理を行い、処理後の信号をレシーバ２２に出力する。レシーバ２２は、音声処理部４３から供給された信号を外部に出力する。なお、この信号は、レシーバ２２に代えて、又は、レシーバ２２と共に、スピーカ（図示せず）から出力される構成としてもよい。
【００２０】
また、音声処理部４３は、ＣＰＵ４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００２１】
メモリ４４は、例えば、ワーキングメモリを含み、ＣＰＵ４５による演算処理に利用される。このメモリ４４は、後述する国語辞書部４４１、英和辞書部４４２及び和英辞書部４４３を含んで構成される（図３参照）。
尚、メモリ４４は、着脱可能な外部メモリであってもよい。
【００２２】
ＣＰＵ４５は、携帯電話機１の全体を制御しており、例えば、通信部４１、画像処理部４２、表示部２１、音声処理部４３に対して所定の制御を行う。また、ＣＰＵ４５は、先に述べたメインアンテナ４１１による電波状態や充電池（図示せず）の残量、不在着信及び未読メールの有無等の内部状態を監視しており、この結果に基づいて、表示部２１の表示内容を変更する制御も行う。ＣＰＵ４５の具体的な構成については後述する。
【００２３】
次に、第１実施形態に係る携帯電話機１が具備する辞書検索装置１００の構成について、図３を参照しながら説明する。図３は、第１実施形態に係る辞書検索装置１００の構成を示す機能ブロック図である。
【００２４】
辞書検索装置１００は、図３に示すように、入力部１１と、表示部２１と、記憶部としてのメモリ４４と、ＣＰＵ４５と、を備える。
入力部１１は、上述のように、機能設定操作ボタン１３と、入力操作ボタン１４と、決定操作ボタン１５と、を備えて構成されている。辞書検索装置１００には、入力操作ボタン１４を押下することにより、所定の文字列が入力される。
【００２５】
表示部２１は、入力部１１により入力された所定の文字列である第１文字列を表示する。また、表示部２１は、後述する検索部４５２による検索結果である検索語リストや、見出し語に対応する定義情報等を表示する。
【００２６】
メモリ４４は、複数の見出し語とこれら複数の見出し語の定義情報とを関連付けて記憶する。
このメモリ４４は、国語辞書部４４１と、英和辞書部４４２と、和英辞書部４４３と、を備える。
【００２７】
ここで、見出し語とは、この見出し語が日本語の場合は、漢字及び／又はかな文字により構成される単語、又はその単語の読みがな（ひらがな又はカタカナ）を示す。また、見出し語が英語の場合は、英文字により構成される英単語を示す。
尚、漢字及び／又はかな文字により構成される単語、及び英文字により構成される英単語には、一文字により構成される単語も含まれる。
また、定義情報とは、見出し語が日本語の場合には、その見出し語の意味等を示し、見出し語が英語の場合には、その見出し語の日本語訳等を示す。
【００２８】
国語辞書部４４１には、漢字及び／又はかな文字により構成される複数の単語と、これら複数の単語の読みがなと、これら複数の単語の意味とが関連付けられて記憶される。
英和辞書部４４２には、英文字により構成される単語と、これら複数の単語の日本語訳とが関連付けられて記憶される。
和英辞書部４４３には、漢字及び／又はかな文字により構成される複数の単語と、これら複数の単語の読みがなと、これら複数の単語の英語訳とが関連付けられて記憶される。
【００２９】
ＣＰＵ４５は、判定部４５１と、検索部４５２と、検索語リスト作成部４５３と、表示制御部４５４と、を備える。
【００３０】
判定部４５１は、検索対象となる文字列の種類を判定する。
具体的には、判定部４５１は、検索対象となる文字列が漢字を含んで構成される文字列であるか、かな文字のみにより構成される文字列であるか、又は英文字により構成される文字列であるかを判定する。
【００３１】
検索部４５２は、メモリ４４に記憶された複数の見出し語から、検索対象となる文字列と一致する見出し語を検索する。
具体的には、検索部４５２は、メモリ４４に記憶された複数の見出し語から、第１文字列と一致する見出し語を検索する。
また、検索部４５２は、メモリ４４に第１文字列と一致する見出し語が記憶されていなかった場合には、第１文字列から最後の一文字を除いた文字列である第２文字列と一致する見出し語を検索する。
更に、検索部４５２は、メモリ４４に第２文字列と一致する見出し語が記憶されていなかった場合には、第２文字列から最後の一文字を除いた文字列である第３文字列と一致する見出し語を検索する。
このように、検索部４５２は、第１文字列のうちの一部がメモリ４４に記憶された見出し語と一致するまで、第１文字列の後ろから一文字ずつ除いた文字列について検索を行う。
【００３２】
尚、検索部４５２は、判定部４５１により、検索対象となる文字列がかな文字のみから構成されていると判定された場合には、メモリ４４に記憶された漢字及び／又はかな文字により構成される単語の読みがなを見出し語として検索を行う。
また、検索部４５２は、判定部４５１により、検索対象となる文字列が漢字を含んで構成されていると判定された場合には、メモリ４４に記憶された漢字及び／又はかな文字により構成される単語を見出し語として検索を行う。
また、検索部４５２は、判定部４５１により、検索対象となる文字列が英文字により構成されていると判定された場合には、メモリ４４に記憶された英文字により構成される単語を見出し語として検索を行う。
【００３３】
検索語リスト作成部４５３は、検索部４５２による検索結果に基づいて、表示部２１に表示される検索語の一覧である検索語リストを作成する。
具体的には、検索語リスト作成部４５３は、検索部４５２により検索された見出し語の読みがなを特定し、メモリ４４に記憶された複数の見出し語を読み順（あいうえお順）に並べた一覧のうち、検索された見出し語の読みがなに一致する項目以降の部分により検索語リストを作成する。
【００３４】
表示制御部４５４は、表示部２１の表示内容を制御する。
具体的には、表示制御部４５４は、検索部４５２により所定の文字列（例えば、第１文字列、第２文字列、第３文字列）と一致する見出し語が検索された場合、検索語リスト作成部４５３により作成された検索語リストを表示部２１に表示させると共に、検索語リストとして表示された複数の見出し語のうちの選択された見出し語の定義情報を表示部２１に表示させる。
【００３５】
ここで、辞書検索装置１００による検索機能の具体例について説明する。
先ず、ユーザが、国語辞書機能を起動した状態で、「そうさし」と入力した場合について、図４を参照しながら説明する。
図４は、国語辞書機能を利用して、ひらがなのみにより構成される文字列を入力して検索した場合に、表示部２１に表示される画面を示した図である。
【００３６】
先ず、図４（ａ）に示すように、ユーザが所定の操作により国語辞書機能を起動させると、表示部２１には、単語入力画面が表示される（図４（ｂ）参照）。
次に、ユーザにより入力操作ボタン１４が操作されて、第１文字列として「そうさし」と入力された場合、表示制御部４５４は、図４（ｂ）に示すように、表示部２１に「そうさし」を表示させる。
【００３７】
次に、ユーザにより決定操作ボタン１５が操作されて入力された第１文字列「そうさし」が確定されると、判定部４５１は、「そうさし」がひらがなのみにより構成されていると判定する。すると、検索部４５２は、国語辞書部４４１に記憶された単語の読みがなから、「そうさし」を検索する（図４（ｃ）参照）。
【００３８】
国語辞書部４４１に「そうさし」が記憶されていない場合（一致する読みがなが存在しない場合）には、検索部４５２は、第１文字列である「そうさし」の最後の一文字である「し」を除いた第２文字列である「そうさ」を検索する（図４（ｄ）参照）。
国語辞書部４４１に「そうさ」が記憶されていた場合（一致する読みがなが存在する場合）、検索語リスト作成部４５３は、国語辞書部４４１に記憶された複数の見出し語を読み順に並べた一覧のうち、「そうさ」の項目以降の部分により検索語リストを作成する（図４（ｄ）参照）。
【００３９】
表示制御部４５４は、図４（ｅ）に示すように、表示部２１に、検索された文字列の読みがな「そうさ」を表示させると共に、検索語リスト作成部４５３により作成された検索語リストの内容を表示させる。また、表示制御部４５４は、検索語リストとして表示された複数の見出し語のうち、ユーザにより選択された見出し語（例えば、そうさ〔捜査〕）の定義情報を表示部２１に表示させる。
【００４０】
尚、図示はしないが、表示部２１に、検索された文字列の読みがな及び検索語リストが表示された後に、更にかな文字からなる文字列を入力して検索対象となる文字列を限定した上で、再度、検索を行ってもよい。これにより、検索対象の絞込みを行える。
【００４１】
次に、ユーザが、国語辞書機能を起動した状態で、「相札」と入力した場合について、図５を参照しながら説明する。
図５は、国語辞書機能を利用して、漢字を含んで構成される文字列を入力して検索した場合に、表示部２１に表示される画面を示した図である。
【００４２】
先ず、図５（ａ）に示すように、ユーザが所定の操作により国語辞書機能を起動させると、表示部２１には、単語入力画面が表示される（図５（ｂ）参照）。
次に、ユーザにより入力操作ボタン１４が操作されて、第１文字列として「相札」と入力された場合、表示制御部４５４は、図５（ｂ）に示すように、表示部２１に「相札」を表示させる。
【００４３】
次に、ユーザにより決定操作ボタン１５が操作されて、入力された第１文字列「相札」が確定されると、判定部４５１は、「相札」が漢字を含んで構成されていると判定する。すると、検索部４５２は、国語辞書部４４１に記憶された単語から、「相札」を検索する（図５（ｃ）参照）。
【００４４】
国語辞書部４４１に「相札」が記憶されていない場合（一致する単語が存在しない場合）には、検索部４５２は、第１文字列である「相札」の最後の一文字である「札」を除いた第２文字列である「相」を検索する（図５（ｄ）参照）。
国語辞書部４４１に「相」が記憶されていた場合（一致する単語が存在する場合）、検索語リスト作成部４５３は、「相」の読みがなを特定し（例えば、「あい」）、国語辞書部４４１に記憶された複数の見出し語を読み順に並べた一覧のうち、「あい」の項目以降の部分により検索語リストを作成する（図５（ｅ）参照）。
ここで、検索語リスト作成部４５３は、「相」の読みがなを特定する場合、対応する複数の読みがなのうち、あいうえお順で最も上位の読みがなを選択する。
【００４５】
表示制御部４５４は、図５（ｆ）に示すように、表示部２１に、特定された文字列「相」の読みがな「あい」を表示させると共に、検索語リスト作成部４５３により作成された検索語リストを表示させる。また、表示制御部４５４は、検索語リストとして表示された複数の見出し語のうち、ユーザにより選択された見出し語（例えば、あい〔相〕）の定義情報を表示部２１に表示させる。
【００４６】
次に、表示部２１に待ち受け画面が表示された状態で、ユーザが入力部１１から直接「ａｂｚ」と入力した後に、英和辞書機能を起動させた場合における検索機能について、図６を参照しながら説明する。
図６は、表示部２１に待ち受け画面が表示された状態で、ユーザが入力部１１から直接「ａｂｚ」と入力した後に、英和辞書機能を起動させた場合に、表示部２１に表示される画面を示した図である。
【００４７】
先ず、図６（ａ）に示すように、表示部２１に待ち受け画面が表示された状態で、ユーザにより入力操作ボタン１４が操作されて「ａｂｚ」と入力されると、表示制御部４５４は、図６（ｂ）に示すように、表示部２１に単語入力画面を表示させると共に、「ａｂｚ」を表示させる。
【００４８】
次に、ユーザにより決定操作ボタン１５が操作されると、表示制御部４５４は、表示部２１に機能選択画面を表示させる（図６（ｃ）参照）。
次に、ユーザによりに決定操作ボタン１５が操作されて英和辞書機能が起動すると、検索部４５２は、英和辞書部４４２に記憶された英単語から、「ａｂｚ」を検索する（図６（ｄ）参照）。
【００４９】
英和辞書部４４２に「ａｂｚ」が記憶されていない場合（一致する単語が存在しない場合）には、検索部４５２は、第１文字列である「ａｂｚ」の最後の一文字である「ｚ」を除いた第２文字列である「ａｂ」を検索する（図６（ｅ）参照）。
英和辞書部４４２に「ａｂ」が記憶されていた場合（一致する単語が存在する場合）、検索語リスト作成部４５３は、英和辞書部４４２に記憶された複数の見出し語をアルファベットに並べた一覧のうち、「ａｂ」の項目以降の部分により検索語リストを作成する（図６（ｆ）参照）。
【００５０】
表示制御部４５４は、図６（ｆ）に示すように、表示部２１に、検索された文字列「ａｂ」を表示させると共に、検索語リスト作成部４５３により作成された検索語リストを表示させる。また、表示制御部４５４は、検索語リストとして表示された複数の見出し語のうちの選択された見出し語（例えば、「ａｂ」）の定義情報を表示部２１に表示させる。
【００５１】
次に、国語辞書機能を利用した場合の辞書検索装置１００の動作について、図７を参照しながら説明する。
図７は、国語辞書機能を利用した場合の辞書検索装置１００の動作を示すフローチャートである。
【００５２】
先ず、ステップＳ１において、ユーザの所定の操作により国語辞書機能が起動されると共に、ユーザにより入力操作ボタン１４が操作されて所定の文字列が入力されてステップＳ２に進む。
【００５３】
ステップＳ２において、ユーザにより決定操作ボタン１５が操作されて入力された文字列が確定されてステップＳ３に進む。
【００５４】
ステップＳ３において、判定部４５１は、入力された文字列がかな文字のみにより構成されているか、漢字を含んで構成されているかを判定する。
判定部４５１により、入力された文字列がかな文字のみにより構成されていると判定された場合には、ステップＳ４に進む。判定部４５１により、入力された文字列が漢字を含んで構成されていると判定された場合には、ステップＳ７に進む。
【００５５】
ステップＳ４において、検索部４５２は、国語辞書部４４１に記憶された複数の単語の読みがなを見出し語として、検索対象となった文字列を検索しステップＳ５に進む。
【００５６】
ステップＳ５において、検索部４５２により検索対象となった文字列と一致する見出し語が検索された場合には、ステップＳ１０に進む。検索部４５２により検索対象となった文字列と一致する見出し語が検索されなかった場合には、ステップＳ６に進む。
【００５７】
ステップＳ６において、検索部４５２は、検索対象となった文字列（例えば、第１文字列）から最後の一文字を削除した文字列（例えば、第２文字列）を作成しステップＳ４に戻る。
【００５８】
ステップＳ７において、検索部４５２は、国語辞書部４４１に記憶された複数の単語を見出し語として、検索対象となった文字列を検索しステップＳ８に進む。
【００５９】
ステップＳ８において、検索部４５２により検索対象となった文字列と一致する見出し語が検索された場合には、ステップＳ１０に進む。検索部４５２により検索対象となった文字列と一致する見出し語が検索されなかった場合には、ステップＳ９に進む。
【００６０】
ステップＳ９において、検索部４５２は、検索対象となった文字列（例えば、第１文字列）から最後の一文字を削除した文字列（例えば、第２文字列）を作成しステップＳ７に戻る。
【００６１】
ステップＳ１０において、検索語リスト作成部４５３は、検索部４５２により検索された見出し語の読みがなを特定し、国語辞書部４４１に記憶された複数の見出し語を読み順に並べた一覧のうち、検索された見出し語の読みがなに一致する項目以降の部分により検索語リストを作成し、ステップＳ１１に進む。
【００６２】
ステップＳ１１において、表示制御部４５４は、表示部２１に検索語リストを表示させると共に、検索語リストとして表示された複数の見出し語のうちの選択された見出し語の定義情報を表示部２１に表示させて検索を終了する。
【００６３】
次に、英和辞書機能を利用した場合の辞書検索装置１００の動作について、図８を参照しながら説明する。
図８は、英語辞書機能を利用した場合の辞書検索装置１００の動作を示すフローチャートである。
【００６４】
先ず、ステップＳ２１において、表示部２１に待ち受け画面が表示された状態の携帯電話機１に対して、ユーザにより入力操作ボタン１４が操作されて英文字により構成される所定の文字列が入力されステップＳ２２に進む。
【００６５】
ステップＳ２２において、ユーザの所定の操作により英和辞書機能が起動されてステップＳ２３に進む。
【００６６】
ステップＳ２３において、判定部４５１は、入力された文字列が英文字により構成されていると判定してステップＳ２４に進む。
【００６７】
ステップＳ２４において、検索部４５２は、英和辞書部４４２に記憶された複数の見出し語から検索対象となった文字列を検索してステップＳ２５に進む。
【００６８】
ステップＳ２５において、検索部４５２により検索対象となった文字列と一致する見出し語が検索された場合には、ステップＳ２６に進む。検索部４５２により検索対象となった文字列と一致する見出し語が検索されなかった場合には、ステップＳ２８に進む。
【００６９】
ステップＳ２８において、検索部４５２は、検索対象となった文字列（例えば、第１文字列）から最後の一文字を削除した文字列（例えば、第２文字列）を作成しステップＳ２４に戻る。
【００７０】
ステップＳ２６において、検索語リスト作成部４５３は、検索部４５２により検索された見出し語を特定し、英和辞書部４４２に記憶された複数の見出し語をアルファベット順に並べた一覧のうち、検索された見出し語に一致する項目以降の部分により検索語リストを作成し、ステップＳ２７に進む。
【００７１】
ステップＳ２７において、表示制御部４５４は、表示部２１に検索語リストを表示させると共に、検索語リストとして表示された複数の見出し語のうちの選択された見出し語の定義情報を表示部２１に表示させる。
【００７２】
第１実施形態の辞書検索装置によれば、以下のような効果を奏する。
第１文字列と一致する見出し語が検索されなかった場合には、検索部４５２に、第１文字列から最後の一文字を除いた第２文字列と一致する見出し語を検索させ、この第２文字列と一致する見出し語が検索された場合には、第２文字列と一致する見出し語を先頭として複数の見出し語のうちの一部の見出し語を表示部２１に表示させた。
これにより、入力された第１文字列と一致する見出し語がメモリ４４に記憶されていない場合には、検索する文字列の数を減らした第２文字列について検索できる。よって、第１文字列が検索できなくても、再度入力することなく、第１文字列に近い見出し語を検索できる。その結果、辞書検索装置１００の検索の利便性をより向上できる。
【００７３】
また、検索部４５２に、第１文字列のうちの一部がメモリ４４に記憶された見出し語と一致するまで、第１文字列の後ろから一文字ずつ除いた文字列について検索を行わせた。よって、検索対象となる文字列の一部のみに一致した見出し語について検索を行えるので、辞書検索装置１００の利便性を更に向上できる。
【００７４】
また、表示制御部４５４に、検索対象となる文字列に一致した見出し語を先頭とした検索語リストを表示させた。これにより、検索したい文字列のうちの一部を入力することで、この検索したい文字列について検索できる。よって、例えば、英和辞書機能を利用した場合における英文字の入力といった、入力部１１による文字列の入力に伴う労力を低減できる。
【００７５】
また、検索対象が漢字を含む文字列の場合には、検索部４５２に、メモリ４４に記憶された単語を見出し語として検索させると共に、検索語リスト作成部４５３に、検索された単語の読み順に並べた検索語リストを作成させた。これにより、検索の対象となる文字列が漢字を含む文字列であっても、検索対象の文字列を先頭として読み順に並んだ検索結果を表示できる。よって、辞書検索装置１００の利便性を更に向上できる。
【００７６】
次に、本発明の第２実施形態について説明する。
尚、第２実施形態の説明にあたって、同一構成要件については同一符号を付し、その説明を省略もしくは簡略化する。
【００７７】
第２実施形態では、主として、検索部４５２の機能が第１実施形態と異なる。
具体的には、第２実施形態では、検索部４５２は、入力部１１により入力された文字列が複数の漢字を含む漢字文字列であった場合に、メモリ４４に記憶された複数の見出し語から漢字文字列と一致する見出し語が検索されなかった場合には、この漢字文字列の先頭の漢字を検索する。
【００７８】
また、表示制御部４５４は、検索部４５２により検索された先頭の漢字の読みがなに対応する見出し語を先頭として、メモリ４４に記憶された複数の見出し語のうちの一部の見出し語を表示部２１に表示させる。
より詳細には、検索語リスト作成部４５３は、検索部４５２により検索された見出し語と一致した漢字の読みがなを特定し、メモリ４４に記憶された複数の見出し語を読み順に並べた一覧のうち、検索された見出し語の読みがなに一致する項目以降の部分により検索語リストを作成する。そして、表示制御部４５４は、この検索語リスト作成部により作成された検索語リストを表示部２１に表示させる。
【００７９】
第２実施形態によれば、上述した第１実施形態と同様の効果を奏する。
【００８０】
尚、本発明は前記実施形態に限定されるものではなく、本発明の目的を達成できる範囲での変形、改良等は本発明に含まれるものである。
例えば、第１実施形態では、国語辞書機能を利用する場合には、国語辞書機能を起動させた後に文字列の入力を行い、英和辞書機能を利用する場合には、文字列の入力を行った後に英和辞書機能を起動させたが、これに限らない。即ち、文字列の入力及び辞書機能の起動は、いずれの操作を先に行ってもよい。
【００８１】
また、第１実施形態及び第２実施形態では、本発明の辞書検索装置を具備する電子機器の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００８２】
また、第１実施形態及び第２実施形態では、本発明を電子機器としての携帯電話機１に適用したが、これに限らない。即ち、本発明を、電子辞書、情報携帯端末（ＰＤＡ）、ノートパソコン、デジタルカメラ、小型オーディオプレーヤー等の他の電子機器に適用してもよい。
【図面の簡単な説明】
【００８３】
【図１】本発明の第１実施形態に係る携帯電話機の外観斜視図である。
【図２】携帯電話機の機能を示すブロック図である。
【図３】第１実施形態に係る辞書検索装置の構成を示す機能ブロック図である。
【図４】国語辞書機能を利用してひらがなのみにより構成される文字列を入力して検索した場合に、表示部に表示される画面を示した図である。
【図５】国語辞書機能を利用して、漢字を含んで構成される文字列を入力して検索した場合に、表示部に表示される画面を示した図である。
【図６】待ち受け画面から直接「ａｂｚ」と入力した後に、英和辞書機能を起動させた場合に、表示部に表示される画面を示した図である。
【図７】国語辞書機能を利用した場合の辞書検索装置の動作を示すフローチャートである。
【図８】英語辞書機能を利用した場合の辞書検索装置１００の動作を示すフローチャートである。
【符号の説明】
【００８４】
１  携帯電話機
１１  入力部
２１  表示部
４４  メモリ（記憶部）
４５  ＣＰＵ
１００  辞書検索装置
４４１  国語辞書部
４４２  英和辞書部
４４３  和英辞書部
４５２  検索部
４５４  表示制御部
【図１】
2010123074.tif 000003
【図２】
2010123074.tif 000004
【図３】
2010123074.tif 000005
【図４】
2010123074.tif 000006
【図５】
2010123074.tif 000007
【図６】
2010123074.tif 000008
【図７】
2010123074.tif 000009
【図８】
2010123074.tif 000010